(57)【特許請求の範囲】
【請求項１】
複数の締結手段によって接合固定される２つのハウジング半体内に複数の導体を収納してなるバスダクトにおいて、
前記２つのハウジング半体のうちの一方のハウジング半体は、
前記導体を下方から支持する支持平板部と、該支持平板部の長辺部からほぼ直角に下方伸長した支持脚部と、該支持脚部の先端が屈曲された設置屈曲部と、を有する下側ハウジング半体として構成され、
前記２つのハウジング半体のうちの他方のハウジング半体は、
前記導体の上面側を覆う上部平板部と、該上部平板部の長辺部からほぼ直角に下方伸長した側面カバー部と、該側面カバー部の先端が屈曲されて前記下側ハウジング半体の前記支持平板部の外表面に接合設置される接合屈曲部と、を有する上側ハウジング半体として構成され、
前記下側ハウジング半体の支持脚部と、前記上側ハウジング半体の前記側面カバー部とは、設置状態においてその外側面が面一となるように形成され、
前記下側ハウジング半体の前記支持平板部と前記上側ハウジング半体の前記上部平板部とを締結手段により締結することで、前記下側ハウジング半体と前記上側ハウジング半体とを固定し、
前記支持平板部の前記締結手段によって押圧されている部分の少なくとも一部及び前記上部平板部の前記締結手段によって押圧されている部分の少なくとも一部が、前記バスダクトの平面視で前記導体に重なっていることを特徴とするバスダクト。
【請求項２】
複数の締結手段によって接合固定される２つのハウジング半体内に複数の導体を収納してなるバスダクトにおいて、
前記２つのハウジング半体のうちの一方のハウジング半体は、
前記導体を下方から支持する支持平板部と、該支持平板部の長辺部からほぼ直角に下方伸長した支持脚部と、該支持脚部の先端が屈曲された設置屈曲部と、を有する下側ハウジング半体として構成され、
前記２つのハウジング半体のうちの他方のハウジング半体は、
前記導体の上面側を覆う上部平板部と、該上部平板部の長辺部からほぼ直角に下方伸長した側面カバー部と、該側面カバー部の先端が屈曲されて前記下側ハウジング半体の前記支持平板部の外表面に接合設置される接合屈曲部と、を有する上側ハウジング半体として構成され、
前記下側ハウジング半体の支持脚部と、前記上側ハウジング半体の前記側面カバー部とは、設置状態においてその外側面が面一となるように形成され、
前記下側ハウジング半体と前記上側ハウジング半体とを締結手段により締結することで、前記下側ハウジング半体と前記上側ハウジング半体とを固定し、
前記下側ハウジング半体の前記支持脚部の長さは、前記上側ハウジング半体の前記側面カバー部の長さ以上に形成されていることを特徴とするバスダクト。
【請求項３】
複数の締結手段によって接合固定される２つのハウジング半体内に複数の導体を収納してなるバスダクトにおいて、
前記２つのハウジング半体のうちの一方のハウジング半体は、
前記導体を下方から支持する支持平板部と、該支持平板部の長辺部からほぼ直角に下方伸長した支持脚部と、該支持脚部の先端が屈曲された設置屈曲部と、を有する下側ハウジング半体として構成され、
前記２つのハウジング半体のうちの他方のハウジング半体は、
前記導体の上面側を覆う上部平板部と、該上部平板部の長辺部からほぼ直角に下方伸長した側面カバー部と、該側面カバー部の先端が屈曲されて前記下側ハウジング半体の前記支持平板部の外表面に接合設置される接合屈曲部と、を有する上側ハウジング半体として構成され、
前記下側ハウジング半体の支持脚部と、前記上側ハウジング半体の前記側面カバー部とは、設置状態においてその外側面が面一となるように形成され、
前記下側ハウジング半体の前記支持平板部と前記上側ハウジング半体の前記接合屈曲部とを、前記バスダクトの底面側から装着可能な締結手段により締結することで、前記下側ハウジング半体と前記上側ハウジング半体とを固定し、
前記締結手段は、前記バスダクトの平面視及び側面視において外部に露出していない状態であることを特徴とするバスダクト。
【請求項４】
前記下側ハウジング半体の前記支持平板部と前記上側ハウジング半体の前記上部平板部とを締結手段により締結することで、前記下側ハウジング半体と前記上側ハウジング半体とを固定し、
前記支持平板部の前記締結手段によって押圧されている部分の少なくとも一部が、バスダクトの平面視で前記上側ハウジング半体の前記接合屈曲部に重なっていることを特徴とする請求項１又は２に記載のバスダクト。
【請求項５】
前記下側ハウジング半体の前記設置屈曲部は、前記バスダクトの底面視において、前記締結手段が前記支持平板部を貫通する部分に干渉しない長さに形成されていることを特徴とする請求項１〜４の何れか１項に記載のバスダクト。
【請求項６】
前記設置屈曲部は、前記支持脚部の先端がバスダクト幅方向の内側へほぼ直角に屈曲されて形成され、
前記接合屈曲部は、前記側面カバー部の先端がバスダクトの幅方向の内側へほぼ直角に屈曲されて形成されることを特徴とする請求項１〜５の何れか１項に記載のバスダクト。
【請求項７】
前記締結手段による押圧は、湾曲した皿ワッシャーと防水シール材とを介在させて行われることを特徴とする請求項１〜６の何れか１項に記載のバスダクト。
【請求項８】
請求項２〜７の何れか１項に記載のバスダクトが接続部にて複数連結接続されて構成されるバスダクト幹線の前記接続部を防水カバーで覆うバスダクト接続部防水構造であって、
前記防水カバーが、前記バスダクトにおける前記接続部の最近傍に存在する締結手段を覆うように配置され、
前記防水カバーにより覆われた締結手段は、前記バスダクトの平面視及び側面視において外部に露出していない状態であることを特徴とするバスダクトの接続部防水構造。
【請求項９】
前記防水カバーにより覆われた締結手段は、前記バスダクトの底面視において外部に露出している状態であることを特徴とする請求項８に記載のバスダクト接続部防水構造。
【発明の詳細な説明】
【技術分野】
【０００１】
本発明はバスダクト及びバスダクトの接続部防水構造、特に、主に屋外にて使用するバスダクト及びバスダクトの接続部防水構造に関する。
【背景技術】
【０００２】
従来より、２つのハウジング半体を接合させて形成される収納部に、密着積層された複数の絶縁被覆導体を収納し、所定の箇所に設置する密着絶縁型バスダクト（以下、単に「バスダクト」という）が知られている。そして、このようなバスダクトを内部に収納した導体端部同士を相互に電気的に接続する接続部で連結して所望の長さとするバスダクト幹線が形成されている。
【０００３】
この種のバスダクト幹線を屋外に配設する場合、例えば、所定間隔毎に設けられたバスダクト支持手段の支持部上面にバスダクトを内部の絶縁被覆導体が上下に積層状態となるように横置きにして載置固定する構成がとられる。そして、この様な屋外における設置構成においては、バスダクト及びその接続部に関しては風雨に耐え得る防水構造を確保することが重要となる。
【０００４】
この防水構造として、バスダクト全体を、防水カバーで完全に囲う技術が知られているが、これでは部品点数も多く、装置全体が大型化してしまい、また、複数の被覆構造が生じることで放熱性に劣る構成となる。そこで、例えば、特許文献１では、比較的シンプルな構造の防水型バスダクトが開示されている。同文献第１図に示されているように、バスダクトのハウジング本体（１）が積層された絶縁導体を上方からコ字状の形状で覆い、ハウジング本体（１）の両側壁が脚部となり、その内側に底蓋（２）が嵌め込まれ、この底蓋（２）が締結手段により上記脚部の下端部よりも上方位置でハウジング本体（１）に固定され、ハウジング本体（１）との間に形成される収納空間に積層された絶縁導体が収納されている。
【０００５】
すなわち、積層絶縁導体は下方から底蓋（２）で支持され、上方からハウジング本体（１）でカバーされた構成となっている。また、締結手段は、ハウジング本体（１）を貫通することなく、長ナット部をハウジング本体（１）の内側面に溶接等で固定しているので、ハウジング本体（１）の上部面には水が侵入する隙間は生じていない。したがって、上記脚部側を下にして設置することで、防水の図られたバスダクトの設置が可能となっている。
【０００６】
【特許文献１】実開昭５７−１７０６３２
【発明の開示】
【発明が解決しようとする課題】
【０００７】
しかしながら、上記特許文献１のバスダクトでは、底蓋がハウジング本体にぶら下がっている構造を有していることから、底蓋を支える締結手段（ボルト）に絶縁被覆導体の全荷重が掛かることとなる。したがって、この構造の安定性を図るために、ボルトの数を多くして長期的に荷重に耐える構成を確保しなければならない。したがって、長ナットの溶接箇所も増加せざるを得ず、バスダクトの製造作業が煩雑なものとなる。また、このようなバスダクトを連結して構成されるバスダクト幹線の接続部の防水構造についても放熱性を確保した防水構造の提案が必要となっている。
【０００８】
本発明は上記課題に鑑みてなされてものであり、その目的は、バスダクトの部品点数の増加を伴うことなく、かつ構造の安定性を確保しつつ構成することのできるバスダクト及びバスダクトの接続部防水構造を提供することにある。
【課題を解決するための手段】
【０００９】
上記目的を達成するため、請求項１に係るバスダクトは、
複数の締結手段によって接合固定される２つのハウジング半体内に複数の導体を収納してなるバスダクトにおいて、前記２つのハウジング半体のうちの一方のハウジング半体は、前記導体を下方から支持する支持平板部と、該支持平板部の長辺部からほぼ直角に下方伸長した支持脚部と、該支持脚部の先端が屈曲された設置屈曲部と、を有する下側ハウジング半体として構成され、前記２つのハウジング半体のうちの他方のハウジング半体は、前記導体の上面側を覆う上部平板部と、該上部平板部の長辺部からほぼ直角に下方伸長した側面カバー部と、該側面カバー部の先端が屈曲されて前記下側ハウジング半体の前記支持平板部の外表面に接合設置される接合屈曲部と、を有する上側ハウジング半体として構成され、前記下側ハウジング半体の支持脚部と、前記上側ハウジング半体の前記側面カバー部とは、設置状態においてその外側面が面一となるように形成され、前記下側ハウジング半体の前記支持平板部と前記上側ハウジング半体の前記上部平板部とを締結手段により締結することで、前記下側ハウジング半体と前記上側ハウジング半体とを固定し、前記支持平板部の前記締結手段によって押圧されている部分の少なくとも一部及び前記上部平板部の前記締結手段によって押圧されている部分の少なくとも一部が、前記バスダクトの平面視で前記導体に重なっていることを特徴とする。
【００１０】
上記構成によれば、導体は、下側ハウジング半体の支持平板部の上面に載った状態で収納部内に納められている。そして、導体の上面側は、上側ハウジング半体によって被覆され、この上側ハウジング半体の側面カバー部の先端部は、下側ハウジング半体の支持平板部上に接合設置される。すなわち、上側ハウジング半体は導体と共に、下側ハウジング半体の支持平板部上に載置された状態となる。締結手段に荷重が掛かるのではなく、下側ハウジング半体の支持脚部に荷重が掛かる構成となっている。
【００１１】
したがって、導体の重量を支えるための締結手段の設置の必要性はなく、構造の簡略化が図られる。また、例えば、導体を絶縁被覆して積層させてなる密着絶縁型バスダクトとし、上側ハウジング半体の側面カバー部の伸長長さを絶縁被覆導体の積層厚さとほぼ同サイズに調整すれば、後は載置状態で設置されるので、下側ハウジング半体の支持脚部の長さ等との調整は不要となるため好適である。また、上側ハウジング半体の荷重が側面カバー部を介して下側ハウジング半体の支持脚部のほぼ真上から掛かることとなる。したがって、下側ハウジング半体の支持脚部の耐荷重性を有効に活用することができ、下側ハウジング半体による上側ハウジング半体の支持構造の安定化が図られる。
【００１２】
請求項２に係るバスダクトは、
複数の締結手段によって接合固定される２つのハウジング半体内に複数の導体を収納してなるバスダクトにおいて、前記２つのハウジング半体のうちの一方のハウジング半体は、前記導体を下方から支持する支持平板部と、該支持平板部の長辺部からほぼ直角に下方伸長した支持脚部と、該支持脚部の先端が屈曲された設置屈曲部と、を有する下側ハウジング半体として構成され、前記２つのハウジング半体のうちの他方のハウジング半体は、前記導体の上面側を覆う上部平板部と、該上部平板部の長辺部からほぼ直角に下方伸長した側面カバー部と、該側面カバー部の先端が屈曲されて前記下側ハウジング半体の前記支持平板部の外表面に接合設置される接合屈曲部と、を有する上側ハウジング半体として構成され、前記下側ハウジング半体の支持脚部と、前記上側ハウジング半体の前記側面カバー部とは、設置状態においてその外側面が面一となるように形成され、前記下側ハウジング半体と前記上側ハウジング半体とを締結手段により締結することで、前記下側ハウジング半体と前記上側ハウジング半体とを固定し、前記下側ハウジング半体の前記支持脚部の長さは、前記上側ハウジング半体の前記側面カバー部の長さ以上に形成されていることを特徴とする。
【００１３】
請求項３に係るバスダクトは、
複数の締結手段によって接合固定される２つのハウジング半体内に複数の導体を収納してなるバスダクトにおいて、前記２つのハウジング半体のうちの一方のハウジング半体は、前記導体を下方から支持する支持平板部と、該支持平板部の長辺部からほぼ直角に下方伸長した支持脚部と、該支持脚部の先端が屈曲された設置屈曲部と、を有する下側ハウジング半体として構成され、前記２つのハウジング半体のうちの他方のハウジング半体は、前記導体の上面側を覆う上部平板部と、該上部平板部の長辺部からほぼ直角に下方伸長した側面カバー部と、該側面カバー部の先端が屈曲されて前記下側ハウジング半体の前記支持平板部の外表面に接合設置される接合屈曲部と、を有する上側ハウジング半体として構成され、前記下側ハウジング半体の支持脚部と、前記上側ハウジング半体の前記側面カバー部とは、設置状態においてその外側面が面一となるように形成され、前記下側ハウジング半体の前記支持平板部と前記上側ハウジング半体の前記接合屈曲部とを、前記バスダクトの底面側から装着可能な前記締結手段により締結することで、前記下側ハウジング半体と前記上側ハウジング半体とを固定し、前記締結手段は、前記バスダクトの平面視及び側面視において外部に露出していない状態であることを特徴とする。
【００１４】
請求項４に係るバスダクトは、
前記下側ハウジング半体の前記支持平板部と前記上側ハウジング半体の前記上部平板部とを締結手段により締結することで、前記下側ハウジング半体と前記上側ハウジング半体とを固定し、前記支持平板部の前記締結手段によって押圧されている部分の少なくとも一部が、バスダクトの平面視で前記上側ハウジング半体の前記接合屈曲部に重なっていることを特徴とする。
【００１５】
請求項５に係るバスダクトは、
前記下側ハウジング半体の前記設置屈曲部は、前記バスダクトの底面視において、前記締結手段が前記支持平板部を貫通する部分に干渉しない長さに形成されていることを特徴とする。
【００１７】
請求項６に係るバスダクトは、
前記設置屈曲部は、前記支持脚部の先端がバスダクト幅方向の内側へほぼ直角に屈曲されて形成され、前記接合屈曲部は、前記側面カバー部の先端がバスダクトの幅方向の内側へほぼ直角に屈曲されて形成されることを特徴とする。この構成により、支持脚部及び側面カバー部の先端部、すなわちハウジング半体を構成する板材の端面がそれぞれ支持脚部及び側面カバー部の内側に曲げられたこととなり、外部に露出する部分が少なくなっている。したがって、防水性、防錆性が向上する。
【００１８】
請求項７に係るバスダクトは、
前記締結手段による押圧は、湾曲した皿ワッシャーと防水シール材とを介在させて行われることを特徴とする。
【００１９】
本願発明では、導体の全重量は、下側ハウジング半体の支持平板部に掛かっているので、締結手段がその荷重を受けることはない。したがって、その設置数も最低限の個数で足り、また、上記構成のように下側ハウジング半体の支持平板部と、上側ハウジング半体の上部平板部とを貫通させて締結することで締結作業は極めて容易なものとなる。また、最上部に有る上側ハウジング半体の上部平板部を貫通する締結手段の部分には、皿ワッシャーと防水シール材が介在しているので、防水性も確保される。
【００２１】
請求項８に係るバスダクトの接続部防水構造は、
請求項２〜７の何れか１項に記載のバスダクトが接続部にて複数連結接続されて構成されるバスダクト幹線の前記接続部を防水カバーで覆うバスダクト接続部防水構造であって、前記防水カバーが、前記バスダクトにおける前記接続部の最近傍に存在する締結手段を覆うように配置され、前記防水カバーにより覆われた締結手段は、前記バスダクトの平面視及び側面視において外部に露出していない状態であることを特徴とする。
【００２３】
請求項９に係るバスダクトの接続部防水構造は、
前記防水カバーにより覆われた締結手段は、前記バスダクトの底面視において外部に露出している状態であることを特徴とする。
【発明の効果】
【００２４】
本発明に係るバスダクト及びバスダクトの接続部防水構造によれば、良好な防水性、放熱性を確保しつつ、且つバスダクトの部品点数の増加を伴うことなく、構造及び設置状態の安定性を向上させることができる。また、本発明に係るバスダクトを連結したバスダクト幹線の接続部の防水性を簡単な構造で的確に確保することができ、バスダクト支持手段上に載置設置されるバスダクトの製造の容易化、更には、信頼性の向上を図ることができる。
【発明を実施するための最良の形態】
【００２５】
以下、本発明の実施形態について図面に基づいて詳細に説明する。図１は本発明に係る密着絶縁型バスダクト（以下、「バスダクト」という）の構成を示す概略縦断面図であり、図２はその構成要素を分解して示している。図示のように、バスダクト１０は、２つのハウジング半体、下側ハウジング半体１２と上側ハウジング半体１４とを備え、両ハウジング半体１２，１４の組み合わせによって形成される収納部に密着積層した３層の絶縁被覆導体１６が収納されている。
【００２６】
両ハウジング半体１２、１４は、予め防錆処理としての塗装が施された板状の鋼板から成る基材所定を所定の形状、サイズに切断し、これを屈曲して形成している。まず、下側ハウジング半体１２は、上記鋼板の幅方向両端から所定長さの部分でそれぞれ下方にほぼ直角に屈曲され断面が略コ字形状とされている。図上下側の平板部は、絶縁被覆導体１６の載置される部分、すなわち絶縁被覆導体１６を下側から支持する支持平板部１２ａである。そして、上記屈曲された両側部が、バスダクト全体を支える支持脚部１２ｂである。支持脚部１２ｂの先端部は、更に、それぞれバスダクトの幅方向の内側方向にほぼ直角に屈曲された設置屈曲部１２ｃとなっている。なお、図２に示された様に支持平板部１２ａの両側部には、貫通孔１２ｄがそれぞれ形成されている。
【００２７】
次に、上側ハウジング半体１４は、同じく鋼板の幅方向両端から所定長さの部分でそれぞれ下方にほぼ直角に屈曲され断面が略コ字形状とされている。図上上側の平板部は、絶縁被覆導体１６の上面部を覆う上部平板部１４ａである。そして、上記屈曲された両側部が、絶縁被覆導体１６の側面部を覆う側面カバー部１４ｂである。この側面カバー部１４ｂの先端部は、更に、それぞれバスダクト１０の幅方向の内側方向にほぼ直角に屈曲された接合屈曲部１４ｃとなっている。なお、側面カバー部１４ｂの図上縦方向の長さは、３層積層された絶縁被覆導体１６の厚さとほぼ同サイズとされている。また、図２に示された様に上部平板部１４ａの両側部には、貫通孔１４ｄがそれぞれ形成されている。
【００２８】
図１から理解されるように、上側ハウジング半体１４は、下側ハウジング半体１２の支持平板部１２ａの上面に載置された絶縁被覆導体１６の上側から被せられ、上部平板部１４ａの内側面と支持平板部１２ａの上面との間に絶縁被覆導体１６を挟むように設置される。上述のように、側面カバー部１４ｂの縦方向長さが３層の絶縁被覆導体１６とほぼ同様の長さとされているので絶縁被覆導体１６は下側ハウジング半体１２と上側ハウジング半体１４によって形成された空間（収納部）内にしっかりと収められる。
【００２９】
本実施の形態では、図２に示したように、両ハウジング半体１２，１４を固定するための締結手段は、絶縁被覆導体１６の幅方向両側の位置で、支持平板部１２ａと上部平板部１４ａとを貫通するように設けられている。すなわち、結合手段は貫通孔１２ｄ、１４ｄに挿通されるボルト１８及びこれを受けるナット２０を有しており、上下側ハウジング半体１４、１２の平板部１４ａ、１２ａを貫通して緊締される。なお、上側ハウジング半体１４の上部平板部１４ａ上側に突出するボルト１８のヘッドの部分には、皿ワッシャー２２，その下部に防水シール材２４が設置される。また、支持平板部１２ａの貫通孔１２ｄの部分に配されるナット２０の部分にも皿ワッシャー２８、スプリングワッシャー３０が設けられている。なお、下側ハウジング半体１２と上側ハウジング半体１４との接合部分である接合屈曲部１４ｃと支持平板部１２ａの間にも防水パッキン２６が設置され、収納部への水の侵入を防止している。なお、上記皿ワッシャー２２の付加的な作用として、ワッシャーの傾斜により、雨水が上側ハウジング半体１４の貫通孔１４ｄの部分に滞留するのを防止することができ、ひいては、収納部内への水の侵入を効果的に防止できる。
【００３０】
なお、防水シール材２４の材質としては、ブチルゴム、アクリルゴム、クロロプレンゴム等のゴムやフェルト材等、押し潰されることにより密封性能を発揮する部材で構成されるのが好適である。また、防水パッキン２６も上記ゴムやフェルト材等の他、樹脂等でも良く、更に両面が粘着性を有するものを用いるのが好適であり、これにより接合屈曲部１４ｃと支持平板部１２ａとの密着性が増し、防水性が更に向上することができる。また、短絡事故が発生したような場合には、導体同士が離間する方向に力が働くが、この場合、防水パッキン２６が上下のハウジング半体１４、１２を密着させる方向に作用しているので、ハウジングの強度が増し、短絡時の衝撃への耐力が増加する。なお、防水パッキン２６自体が粘着性を有する場合に限らず、防水パッキン２６の両側に粘着両面テープを貼着してもよく、また、防水パッキン２６の両面に接着剤等の粘着材を塗布しても良い。
【００３１】
本実施の形態では、上述の様に下側ハウジング半体１２と上側ハウジング半体１４との間の収納部には雨水が浸入しない構成となっている。なお、仮にハウジング内に雨水が浸入してしまった場合でも下側ハウジング半体１２の貫通孔１２ｄから水抜きができるように、皿ワッシャー２８と下側ハウジング半体１２の支持平板部１２ａとの間に防水シール材を設けていないが、更に、必要に応じて防水シール材を適宜設けてもよい。
【００３２】
図１は、上述の締結手段としてのぼると１８、ナット２０により下側ハウジング半体１２と上側ハウジング半体１４とを締結した状態が示されており、絶縁被覆導体１６が下側ハウジング半体１２の支持平板部１２ａに載った状態で両ハウジング半体１２，１４内に収納されていることが理解される。すなわち、絶縁被覆導体１６及び上側ハウジング半体１４の荷重負担は締結手段１８，２０には掛かっておらず、締結手段１８，２０は絶縁被覆導体１６を支持平板部１２ａと上部平板部１４ａとの間に挟持せしめると共に下側ハウジング半体１２と上側ハウジング半体１４との位置固定を行う機能を果たし得る強度と個数が確保されれば足りる。すなわち、絶縁被覆導体１６及び上側ハウジング半体１４の荷重は下側ハウジング半体１２の支持平板部１２ａに掛かっており、支持脚部１２ｂによって支えられている。なお、締結手段は、絶縁被覆導体１６の長さ方向に亘って所定間隔をおいて複数設けられている。
【００３３】
本実施の形態では、上側ハウジング半体１４と下側ハウジング半体１２とを重合させたとき、支持脚部１２ｂと側面カバー部１４ｂとが上下に真っ直ぐ重なるように、すなわち、支持脚部１２ｂと側面カバー部１４ｂの外側面が面一となる様に支持平板部１２ａと上部平板部１４ａは、ほぼ同一の幅寸法に設定されている。これにより、下側ハウジング半体１２の支持脚部１２ｂの構造強度を効果的に活用することができ下側ハウジング半体１２によう支持状態の安定化が図られる。また、作業者等がバスダクト１０上を歩行するような、上側ハウジング１４に荷重が掛かる場合でも、その荷重は側面がバー部１４ｂを介して下側ハウジング１２の支持脚部１２ｂにほぼ真上から掛かることになり、下側ハウジング半体１２の支持平板部１２ａの面部分に掛かる荷重が小さいので、強度が増し、耐荷重性が向上する。
【００３４】
また、上側ハウジング半体１４の接合屈曲部１４ｃの屈曲長さは、貫通する締結手段としてのボルト１８の軸が干渉しない長さで且つ軸の近傍まで伸長する長さに設定されている。したがって、接合屈曲部１４ｃには、ボルトの貫通孔を開ける加工をする必要がない。また、皿ワッシャー２８の押圧部分が接合屈曲部１４ｃの端部に対向するので、より効果的に水平部の端部の変形を防止することができる。また、上側ハウジング半体１４の両側をコ字形状としたので、締結手段１８，２０の締め付けに対しても上側ハウジング半体１４が変形してしまうことはなく、上部平板部１４ａ、側面カバー部１４ｂ、支持平板部１２ａ及び導体端部とで囲まれる空間Ｒに、別途補強部材を設ける必要がない。
【００３５】
また、上側ハウジング半体１４は、下側ハウジング半体１２上に載置されているので、上側ハウジング半体１４を締結手段１８，２０意外に別途ねじ等で下側ハウジング半体１２に固定する必要がない。したがって、施工が容易になると共に、部品点数を削減することができる。
【００３６】
図３は、上述した構成を有する本発明に係るバスダクト１ピースの全体構成を示しており、同図（Ａ）は上側ハウジング半体１４側から視た図、同図（Ｂ）は側方から視た図が示されている。図示のように、内部に収納された絶縁被覆導体１６の絶縁被覆部の除去された両端が露出しており、その他の部分は上述したハウジング半体１２、１４によってカバーされている。
【００３７】
上側及び下側のハウジング半体１４、１２を固定する締結手段（ボルト１８）はハウジングの両側縁部の近傍位置に絶縁被覆導体１６を挟持するのに必要な個数だけ（図３ではそれぞれ４個ずつ）設けられている。下側ハウジング半体１２及び上側ハウジング半体１４の長手方向両端部には厚さ方向の幅を拡大させた端部板部３４が設けられており、本実施の形態では上部平板部１４ａと支持平板部１２ａとを延出かつ屈曲させて構成している。絶縁被覆導体１６はこの端部板部３４の部分で３層の導体が密着状態から所定間隔ずつ離隔された状態となり絶縁被覆を除去した導体端部１６ａの部分で他の絶縁被覆導体１６（他のバスダクトに収納されその端部から露出している導体）と電気的に接続されるものである。
【００３８】
図４は、上述したバスダクト１０がバスダクト支持手段であるバスダクト支持架台４０の上部に形成された上面を水平面とした支持板４０ａに設置された状態が示されている。図示のようにバスダクト１０は、下側ハウジング半体１２の設置屈曲部１２ｃを支持板４０ａの上面に当接させて載置された状態とされている。そして、支持平板部１２ａの上面に上側ハウジング半体１４が同じく上部平板部１４ａが当接された状態で載置されている。すなわち、接合屈曲部１４ｃの下面が接触する支持平板部１２ａの上面がハウジング半体相互の接合部となっている（尚、締結手段や防水用のパッキン等については図示を省略している。）
そして、支持平板部１２ａと上部平板部１４ａの間に形成された空間に３層の絶縁被覆導体１６が収納されている。このように、絶縁被覆導体１６の全重量と上側ハウジング半体１４の全重量は支持平板部１２ａによって受けられ、支持脚部１２ｂによって支持されている。従って、下側ハウジング半体１２と上側ハウジング半体１４とを固定するための締結手段１８，２０（図１参照乞う）は絶縁被覆導体１６の重量を支えるために設けられるものではなく、上述のように絶縁被覆導体１６を挟持するため及び下側ハウジング半体１２と上側ハウジング半体１４の位置決め固定を行うためのみに機能するものである。
【００３９】
また、このバスダクト１０の支持板４０ａへの固定は図示したようにバスダクト１０の外側を上方から押さえる所定幅の固定金具４２によって行われる。固定金具４２は所定間隔毎に配置され、屈曲されて支持板４０ａ上に当接される取付け屈曲部４２ａの部分で、締結部４３によって固定され、バスダクト１０の支持板４０ａへの固定取り付けがなされている。
【００４０】
図５は、上述した実施の形態に係るバスダクト１０が連結されバスダクト幹線がバスダクト支持架台４０上に設置された状態の一部抜き出した図であり、厚さ方向から図示されている。図示のように２つのバスダクト１０−１及び１０−２が接続部５０で絶縁被覆導体１６の導体端部１６ａ同士を電気的に接続すると共に連結されている。なお、接続部５０は接続ユニットを用いて構成されており、本実施の形態では接続方式として導体端部同士を突き合わせて当て板を用いて接続する、いわゆる突合せ方式を採用した例が示されているが、この接続構造は公知の技術であり、その詳述は省略する。
【００４１】
本実施の形態において重要なことは、接続部５０に施されている防水構造であり、図６（Ａ）及び（Ｂ）にその構成要素が分解して示されている。図示のように、バスダクトの設置状態における最上部には上蓋５２が接続部５０全体を覆うように上方から被せ設置され、上側ハウジング半体１４上にその下端部が当接する状態で設置される。上蓋５０はその全周囲に下方にほぼ直角に屈曲させた側部５２ａを有し、その側部５２ａの先端部は更にほぼ直角に内側に屈曲され、雨水などの浸入を確実に防止している。
【００４２】
次に、上蓋５２の下部には側板５４が接続部５０を幅方向両側から挟むように設けられる（同図（Ｂ）参照乞う）。また、側板５４の図上左右両端部はバスダクト１０の下側ハウジング半体１２及び上側ハウジング半体１４の支持脚部１２ｂ、側面カバー部１４ｂの外側面に当接されて設置されており、接続部５０における突出部のない側面部を構成している。すなわち、飛び出し部のない小型の側部が形成されている。また、同図（Ａ）に示したように側板５４の内側面には接続部５０の端部板部３４の縁部形状に沿う範囲に防水パッキン５６が設けられている。この防水パッキン５６により接続部５０内への側板５４側からの浸水を確実に防止している。なお、側板５４は図上下端部に内側にほぼ直角に屈曲された屈曲部５４ａを有し、断面形状Ｌ字型の形状となっている。
【００４３】
次に、側板５４の下部には接続部５０の下面側をカバーする下蓋５８が設けられる。下蓋５８は同図（Ａ）に示されたように略コ字状の形状を有し、同図（Ａ）において左右両端にほぼ直角に上方に屈曲された側壁部５８ａを有している。この下蓋５８は側板５４の下端部に形成された屈曲部５４ａを下側から覆うように設置され、接続部５０の下面側をカバーしている。
【００４４】
図５からも理解されるように、上蓋５２が上述した接続部５０の防水をカバーするための他の部材側板５４、下蓋５８を含む全領域を上方からカバーしており、雨水等の進入を有効に防いでいる。また、接続部５０の側方も側板５４及びこの側板５４に設けられた防水パッキン５６によって密水性が保持されている。
【００４５】
更に、下蓋５８の上方に屈曲された屈曲部５８ａは、図５に示されているように、その設置状態においてバスダクト１０の最も接続部５０寄り位置にある締結手段（ボルト１８等）の設置位置よりも内側、すなわち接続部５０寄り位置で立ち上がるように構成されている。したがって、仮にバスダクト１０の収納部内に浸水が生じその水が締結手段の設置個所である貫通孔１２ｄ（図２参照乞う）から漏れ出した場合もその水が接続部５０内に進入することを確実に防止することができる構成となっている。
【００４６】
また、上述した接続部防水構造の構成要素、上蓋５２、側板５４、下蓋５８は、それぞれ設置状態において上蓋５２が側板５４の上端部を上方からカバーし、下蓋５８が側板５４の下端部の屈曲部５４ａを下方からカバーすると共に、両側の側板５４間の下側開放部を塞いでいる。これにより、接続部５０への雨水等の侵入をシンプルな外方への凹凸の少ない形状により的確に達成している。
【００４７】
次に、図７及び図８は、上述したバスダクト幹線の曲がり角部分の防水構造を示している。図７は水平に直角に曲がった構成、図８は垂直に下方に屈曲した構成が示されている。なお、図において、上述した実施の形態と同様の要素には同一の符号を付し、その説明を省略する。両図に示されたように、曲がり角の前後２箇所に接続ユニット７０−１、７０−２及び８０−１、８０−２が設置されており、これら２つの接続ユニットの間に水平に直角に及び垂直に形成された絶縁被覆導体７２及び８２を接続している。上記図５及び図６に示した接続部５０の防水構造と異なる点は、直角の曲がり形状に対応させて、それぞれの構成要素を直角に曲げたことである。
【００４８】
すなわち、図７の水平曲がり構成では、上蓋７４を水平に直角に曲がった形状とし、側板７６を直角の曲がり部の外側の側板７６−１と内側の側板７６−２とをそれぞれ曲がり部の側面形状に沿うように直角に曲がった形状とし、更に、下蓋７８も上蓋７４と同様に水平に直角に曲げた形状としている。
【００４９】
その他の各要素の構成は、上記図５及び図６に示した基本構成と同様であり、最上部の上蓋７４は接続部５０全体を覆うように上方から被せ設置され、上側ハウジング半体１４上にその下端部が当接する状態で設置され、その全周囲に下方にほぼ直角に屈曲させた側部７４ａを有し、その側部７４ａの先端部は更にほぼ直角に内側に屈曲され、雨水などの浸入を確実に防止している。
【００５０】
また、側板７６は、上蓋７４の下部で接続部７０を幅方向両側から挟むように設けられ、直角に曲がった接続部７０のバスダクト外側面から外方への突出部のない構成としている。なお、側板７６の下端部には同じく下端部に内側にほぼ直角に屈曲された屈曲部７６−１ａ、７６−２ａが設けられている。
【００５１】
最下部には、上蓋７４と同じく水平に直角に曲がった下蓋７８が、側板７６の屈曲部７６−１ａ、７６−２ａを下側から被覆し、接続部の下面側の開放部をカバーする様に設置される。下蓋７８の両端辺には設置状態で上方に立ち上がる屈曲部７８ａが設けられ、両端辺側からの雨水の浸入を防止している。なお、この屈曲部７８ａがその設置状態において、バスダクト１０の最も接続部よりの締結部（ボルト１８等）の位置よりも内側、すなわち接続部寄り位置に位置することも上記図５及び図６の構成と同様である。これにより、仮にバスダクトのハウジング内に浸入した雨水が締結手段の貫通する貫通部から排出されたとしても、再度防水構造部内に浸入することはない。
【００５２】
次に、図８の垂直に曲がった構成では、上蓋８４は上面が直方形の平面形状を有し、同じくその全周囲に下方にほぼ直角に屈曲させた側部８４ａを有している。側板８６は曲がり部分の側面をカバーする直角に曲がった対向配置される１対（２枚）の曲がり側板８６−１と、曲がり部分の外側に設置される１枚の外側板８６−２と内側に設置される１枚の内側板８６−３とを有している。そして、各側板８６−１、８６−２、８６−３には、その側辺にそれぞれ屈曲部８６−１ａ、８６−１ｂ、８６−２ａ、８６−３ａが設けられ、側部からの雨水の浸入を防止できる構成となっている。また、外側板８６−２と内側板８６−３の設置状態における下端辺には、この曲がり部の防水構造への下方からの雨水などの侵入を防止するために底部屈曲部８６−２ｂ、８６−３ｂがそれぞれ設けられ、上記側辺に設けられる屈曲部８６−２ａ、８６−３ａよりも長い屈曲長さとされている。
【００５３】
下蓋８８は、曲がり部分に至る直前の水平部分の接続部ユニット８０−１の下面側の開放部分をカバーするものであり、水平に伸長する側の端辺及び垂下する側の端辺にそれぞれ設置状態で上方に立ち上がる屈曲部８８ａ及び８８ｂが形成されている。
【００５４】
各部材の設置は、曲がり部に存する接続部ユニット８０−１，８０−２の上部領域を覆うように最上部に上蓋８４が被せ設置され、その側部８４ａの上側ハウジング半体１４上に当接する状態で設置される先端部は更にほぼ直角に内側に屈曲され、雨水などの浸入を確実に防止している。
【００５５】
また、各側板８６−１、８６−２、８６−３は、上端部が上蓋８４内に収まる様に上蓋８４の下部で曲がり部を四方から挟むように設けられ、直角に曲がった接続部８０のバスダクト外側面から外方への突出部のない構成としている。
【００５６】
曲がり部の垂下直前のバスダクト水平部の底面側には、図９に示された構成の下蓋８８が設置される。一方の屈曲部８８ａは、上記の実施の形態と同様に締結手段（ボルト１８など）の位置よりも接続部８０寄り位置に配置される構成となっており、これにより、バスダクト１０のハウジング内に雨水が侵入し雨水が締結手段の貫通する貫通部から排出された場合でも、再度防水構造部内に浸入することが防止される。また、他方の屈曲部８８ｂは内側板８６−３の設置状態における上端に高さを合わせて当接設置されており、水平側から垂下側への雨水の浸入を確実に防止している。
【００５７】
更に、図示のように、垂下側の屈曲部８８ｂの折り曲げ部分の両端部には、雨水を排出できるように、切り欠き８８ｃが設けてあり、仮に、雨水の浸入が生じた場合でもその水を流出させることができる。特に、両端に切り欠き８８ｃを設けたので、いずれの方に勾配があったとしても、水が溜まることなく排水が可能となっている。
【００５８】
次に、図１０は、下側ハウジング半体１２と上側ハウジング半体１４との固定構造の他の構成例を示している。同図（Ａ）は、上側ハウジング半体１４の上部平板部１４ａにおける締結手段であるボルト１８のヘッド部分の受け構造に関して、図１に示した構成と異なり、上部平板部１４ａの貫通部の部分に膨出部１０２を設け、その膨出部１０２とボルトヘッド１８ａとの間に防水シール材１０４を介在させている。このようにボルト１８が貫通する部分を膨出させることで、雨水を上部平板部１４ａの他の部分に流すことができ、貫通部近傍に溜まることを防止することができる。なお、下側ハウジング半体１２の貫通部の部分についても同様の膨出部１０６を設けた構成とすることが好適である。これによって、仮に上側ハウジング半体１４の貫通部を通じて雨水がハウジング内に浸入しても、この膨出部１０６に雨水が案内され、貫通部を通じて外に排出することができる。
【００５９】
また、同図（Ｂ）は、上側ハウジング半体１４の上部平板部１４ａと下側ハウジング半体１２の支持平板部１２ａを貫通して締結するのではなく、接合屈曲部１４ａと支持平板部１２ａの部分で固定した例を示している。図示のように、接合屈曲部１４ａと支持平板部１２ａとを貫通する貫通孔を設け、その部分に一方側から装着作業のできるブラインドリベット１０８を用い、防水パッキン２６を介在させて固定を行っている。上述のように、本実施の形態では、締結手段の作用は、絶縁被覆導体１６の荷重等を支えるものではなく、それらを挟持し、上側ハウジング半体１４と下側ハウジング半体１２との位置決めを行うことで足りるので、このリベットによる接合屈曲部１４ｃでの固定で十分な強度を得ることが可能である。
【００６０】
また、この構成によれば、上側ハウジング半体１４の上部平板部１４ａに貫通孔１４ｄが設けられないので、防水性はより高いものとなる。更に、上部平板部１４ａの上面に突出部がないのでバスダクト上を必要に応じて歩行する様な場合にもつまづきなどを防止することができ、作業の安全性の向上を図ることができる。
【００６１】
図１１は、上側ハウジング半体１４と下側ハウジング半体１２のバスダクト幅方向の長さの関係を種々変形した例を示している。同図（Ａ）は、上側ハウジング半体１４と下側ハウジング半体１２とを同一のサイズ、形状として形成している。これにより、部材の共通化による製造の容易化を図ることができる。
【００６２】
また、図１１（Ｂ）は、上側ハウジング半体１４の接合屈曲部１４ｃを更に伸長させ、上方にほぼ直角に立ち上げた立設部１４ｅを設けている。この立設部１４ｅの上端は上部平板部１２ａの裏面に接触もしくは近接する位置まで伸長している。これによって、締結手段（ボルト１８など）により締め付け固定する際のハウジング側の強度を増加させることができる。
【００６３】
図１１（Ｃ）は、上側ハウジング半体１４の側面カバー部１４ｂと下側ハウジング半体１２の支持脚部１２ｂの外側面が非面一となる構成を取っている。すなわち、本例では上側ハウジング半体１４の上部平板部１２ａが下側ハウジング半体１２の支持平板部１２ａよりも幅方向の長さが短く設定されている。また、図１２（Ａ）に示したように、逆に上部平板部４ａが支持平板部１２ａよりも幅方向の長さが長く設定することも可能である。また、このサイズの長短は、一方側の側面カバー部１４ｂと支持脚部１２ｂのみを面一の構成として、他方側を上述のようにずらすことも可能である。この様に、上側ハウジング半体１４と下側ハウジング半体１２の幅方向の長さは融通を持たせた設定とすることができる。
【００６４】
次に、図１２（Ｂ）は、締結手段であるボルト１８を上側ハウジング半体１４の接合屈曲部１４ｃにも貫通させた例を示している。この構成により上側ハウジング半体１４と下側ハウジング半体１２の固定状態の安定化を向上させることができる。
【００６５】
次に、図１３は、バスダクト１０の接続部寄り位置に端部に設けられる端部板部の構成を図５、図６に示した構成と異なる構成にした例を接続部の領域を抜き出して示している。すなわち、上側ハウジング半体１４の端部から連続して延出させるのではなく、端部板部３５を上側ハウジング半体１４とは別体のものとして構成して取り付けたものである。更に、本例では、端部板部３５のバスダクト側端部に上部平板部１４ａの上面に沿った状態からほぼ直角に立ち上がった立ち上げ部３５ａが設けられている。これにより、上部平板部１４ａ側からの接続部への水が浸入を有効に防止することができる。なお、端部板部３５は、バスダクト側端部の上部平板部１４ａの上面に沿った部分で、締結手段１８，２０によって締結固定されている。
【００６６】
また、上側ハウジング半体１４の端部には、上方に折り曲げた立ち上げ部１４ｆを設けており、接続部への水の侵入をより効果的に防止している。また、上部平板部１４ａの上面と端部板部３５の下面との間に、防水パッキンを設けてもよくより防水効果を高めることができる。
【００６７】
以上、本発明を上記実施形態に基づいて説明したが、本発明は上記の実施形態に限定されるものではなく、発明の要旨の範囲内で種々の変形が可能である。例えば、上下側ハウジング半体１４，１２は板部材を折り曲げ成形した場合について説明したが、これに限るものではなく、押し出し成形する場合であってもよい。また、上下側ハウジング半体１４，１２を予め塗装した鋼板を折り曲げ加工して形成する例を説明したが、上下側ハウジング半体１４，１２の加工後に塗装（防錆処理）を施すようにしてもよい。この場合、切断面も同時に塗装するのが好適である。
【００６８】
更に、上側ハウジング半体１４及び下側ハウジング半体１２の切断面（接合屈曲部１４ｃ，設置屈曲部１２ｃの端面）が塗装されていない場合、切断面には別途、塗装（防錆処理）を施すのが好ましい。なお、接合屈曲部１４ｃ，設置屈曲部１２ｃが内側に曲げられている場合、それらの端面は、ハウジング内に収容されるので、風雨に晒されることはなく、切断面を塗装し直さなくても錆びることはないので、塗装の省略も可能である。
【００６９】
なお、バスダクト設置作業の都合上、バスダクト幹線上を作業者等が歩く場合があるが、上記各実施の形態では、上側ハウジング半体１４及び下側ハウジング半体１２の両端がコ字形状に折り曲げられているので、単にＬ字形状に折り曲げた場合よりも直立状態の維持強度が増しており、別途、補強部材のような部材を設けなくても、バスダクトが撓んで変形したり、ハウジングがつぶれてしまうことが有効に防止されている。
【００７０】
また、接続部における接続方式が突き合わせ方式である場合について説明したが、これに限られず、バスダクト同士の導体端部を重ね合わせて一括締結する重ね合わせ方式であってもよい。また、絶縁密着型バスダクトについて例示したが、これに限定するものではなく、裸導体を碍子等で支持し、空気絶縁する空気絶縁型バスダクトにおいても適用可能である。
【図面の簡単な説明】
【００７１】
【図１】本発明の実施の形態に係るバスダクトの構成を示す構成説明図である。
【図２】図１に示した実施の形態に係るバスダクトの構成要素の分解説明図である。
【図３】（Ａ）及び（Ｂ）は、実施の形態に係るバスダクトの１ユニットを外観図であり、（Ａ）は設置状態における上方から、（Ｂ）は側方から視た説明図である。
【図４】実施の形態に係るバスダクトがバスダクト支持架台上に載置設置された状態を示す設置状態説明図である。
【図５】図４に示したバスダクトがバスダクト支持架台上に設置された際の接続部の防水構造の実施の形態を示す説明図である。
【図６】（Ａ）及び（Ｂ）は、図５に示した接続部防水構造の構成要素の分解説明図である。
【図７】バスダクトが水平方向にほぼ直角に曲がった部分における防水構造の実施の形態を示す説明図である。
【図８】バスダクトが水平方向から垂下する曲がり部分における防水構造の実施の形態を示す説明図である。
【図９】図８の実施の形態に係る下蓋の構成を示す斜視図である。
【図１０】（Ａ）及び（Ｂ）は、上側ハウジング半体と下側ハウジング半体との固定構造の他の実施の形態を示す説明図である。
【図１１】（Ａ）、（Ｂ）及び（Ｃ）は、上側ハウジング半体と下側ハウジング半体と構成の変形例を示す説明図である。
【図１２】（Ａ）及び（Ｂ）は、上側ハウジング半体と下側ハウジング半体と構成の更に他の変形例を示す説明図である。
【図１３】バスダクトの端部構成の他の変形例を示す説明図である。
【符号の説明】
【００７２】
１０  バスダクト
１２  下側ハウジング半体
１２ａ  上部平板部
１２ｂ  側面カバー部
１２ｃ  接合屈曲部
１２ｄ  貫通孔
１４  上側ハウジング半体
１４ａ  支持平板部
１４ｂ  支持脚部
１４ｃ  設置屈曲部
１４ｄ  貫通孔
１８  締結手段としてのボルト
５２、７４、８４  上蓋
５４、７６、８６  側板
５８、７８、８８  下蓋
【図１】
0004632256.tif 000002
【図２】
0004632256.tif 000003
【図３】
0004632256.tif 000004
【図４】
0004632256.tif 000005
【図５】
0004632256.tif 000006
【図６】
0004632256.tif 000007
【図７】
0004632256.tif 000008
【図８】
0004632256.tif 000009
【図９】
0004632256.tif 000010
【図１０】
0004632256.tif 000011
【図１１】
0004632256.tif 000012
【図１２】
0004632256.tif 000013
【図１３】
0004632256.tif 000014